(57)【要約】【課題】ユーザがイベントを発生させた時点の正確なポインタ位置を出力することができるポインティングデバイスを提供する。【解決手段】操作面上での接触の位置に応じた座標値を生成する座標値生成部と、接触時の操作面の情報を示す接触操作面情報を計測する接触操作面情報計測部と、接触操作面情報を計測した時の時刻情報を取得する時刻情報取得部と、接触操作面情報と座標値と時刻情報とを対応付けて蓄積する蓄積部と、押圧操作されたことを検出する押圧操作検出部と、押圧操作が検出された場合、検出以前に蓄積部に蓄積された時刻情報に対する接触操作面情報の変化傾向から、押圧操作の開始時の時刻情報を特定し、蓄積部に蓄積されている座標値から、特定されたその開始時の時刻情報に対応する座標値を抽出する座標値抽出部と、座標値抽出部が検出した座標値を押圧操作された操作面上の位置に応じた座標値として出力する出力部とを備える。【選択図】図４
2010122846.tif 000002
【特許請求の範囲】
【請求項１】
接触による操作が可能な操作面を有し、前記接触時に前記操作面上で押圧操作されることでイベントを受け付け、前記イベントを受け付けた前記操作面上の位置に応じた座標値を出力するポインティングデバイスであって、
前記操作面上での接触の位置に応じた座標値を生成する座標値生成部と、
当該接触時の操作面の情報を示す接触操作面情報を計測する接触操作面情報計測部と、
前記接触操作面情報計測部が前記接触操作面情報を計測した時の時刻情報を取得する時刻情報取得部と、
前記接触操作面情報と、前記座標値と、前記時刻情報とを対応付けて蓄積する蓄積部と、
前記操作面上で押圧操作されたことを検出する押圧操作検出部と、
前記押圧操作検出部により前記押圧操作が検出された場合、前記押圧操作の検出以前に前記蓄積部に蓄積された時刻情報に対する接触操作面情報の変化傾向を押圧操作が検出された時刻から遡って順次検査して、前記変化傾向が変化した前記時刻情報を特定し、前記特定した時刻情報に対応する前記座標値を押圧操作開始時における座標値として抽出する座標値抽出部と、
前記座標値抽出部が抽出した当該座標値を、前記イベントを受け付けた前記操作面上の位置に応じた座標値として出力する出力部とを備える
ポインティングデバイス。
【請求項２】
前記座標値抽出部は、
前記変化傾向を示す値が、閾値を超えた場合に、前記変化傾向が変化したとして、前記閾値における接触操作面情報に対応する時刻情報を、前記押圧操作の開始時の時刻情報として特定する
請求項１に記載のポインティングデバイス。
【請求項３】
前記接触操作面情報計測部は、前記接触操作面情報として、前記接触する面積を示す接触面積値を計測する
請求項１に記載のポインティングデバイス。
【請求項４】
前記接触操作面情報計測部は、前記接触操作面情報として、前記接触による操作面への圧力値を計測する
請求項１に記載のポインティングデバイス。
【請求項５】
前記ポインティングデバイスは、前記操作面下にスイッチ部を備え、
前記押圧操作検出部は、前記接触時に前記操作面を押下し、当該操作面を介して前記スイッチ部を押すことにより、前記押圧操作されたことを検出する
請求項３または４に記載のポインティングデバイス。
【請求項６】
前記ポインティングデバイスは、前記操作面下にスイッチ部を備え、
前記押圧操作検出部は、前記接触時に前記操作面を押圧し、前記押圧を解除することにより、前記押圧操作されたことを検出する
請求項３または４に記載のポインティングデバイス。
【請求項７】
前記座標値抽出部は、
前記変化傾向を示す値が、時刻情報と当該時刻情報の時間的に前の時刻情報とに対する接触操作面情報の値の差分であり、当該差分が０より小さくなるときに、前記変化傾向が変化したとして、当該差分が０より小さくなる接触操作面情報での時刻情報を、前記押圧操作の開始時の時刻情報として特定する
請求項１に記載のポインティングデバイス。
【請求項８】
前記変化傾向を示す値は、時刻情報に対する接触操作面情報の当該時刻情報における勾配である
請求項１に記載のポインティングデバイス。
【請求項９】
接触による操作が可能な操作面を有し、前記接触時に前記操作面上で押圧操作されることでイベントを受け付けるリモコン装置とは有線または無線で接続されており、前記イベントを受け付けた前記操作面上の位置に応じた座標値であるポイント位置座標を算出するポインティングデバイスであって、
前記リモコン装置は、
前記操作面上での接触の位置に応じた座標値を生成する座標値生成部と、
当該接触時の操作面の情報を示す接触操作面情報を計測する接触操作面情報計測部と、
前記接触操作面情報計測部が前記接触操作面情報を計測した時の時刻情報を取得する時刻情報取得部と、
前記接触時に前記操作面上で押圧操作されたことを検出する押圧操作検出部と、
前記接触操作面情報と前記座標値と前記時刻情報とを送信する送信部と、
前記押圧操作検出部が押圧操作されたことを検出した場合に、押圧操作された旨の通知をする通知部とを備え、
前記ポインティングデバイスは、
前記送信部から受信した、前記接触操作面情報と前記座標値と前記時刻情報とを対応付けて蓄積する蓄積部と、
前記通知部により通知があったとき、当該通知以前に前記蓄積部に蓄積された時刻情報に対する接触操作面情報の変化傾向を押圧操作が検出された時刻から遡って順次検査して、前記変化傾向が変化した前記時刻情報を特定し、前記特定した時刻情報に対応する前記座標値を押圧操作開始時における座標値として抽出する座標値抽出部と、
前記座標値抽出部が検出した当該座標値を、前記イベントを受け付けた前記操作面上の位置に応じた座標値として出力する出力部とを備える
ポインティングデバイス。
【請求項１０】
前記座標値抽出部は、
前記変化傾向を示す値が、閾値を超えた場合に、前記変化傾向が変化したとして、前記閾値における接触操作面情報に対応する時刻情報を、前記押圧操作の開始時の時刻情報として特定する
請求項９に記載のポインティングデバイス。
【請求項１１】
接触による操作が可能な操作面を有し、前記接触時に前記操作面上で押圧操作されることでイベントを受け付けるリモコン装置と、前記リモコン装置と有線または無線で接続され、前記イベントを受け付けた前記操作面上の位置に応じた座標値であるポイント位置座標を算出するポイント位置算出装置とを備えるポインティングデバイスシステムであって、
前記リモコン装置は、
前記操作面上での接触の位置に応じた座標値を生成する座標値生成部と、
当該接触時の操作面の情報を示す接触操作面情報を計測する接触操作面情報計測部と、
前記接触操作面情報計測部が前記接触操作面情報を計測した時の時刻情報を取得する時刻情報取得部と、
前記接触時に前記操作面上で押圧操作されたことを検出する押圧操作検出部と、
前記接触操作面情報と、前記座標値と、前記時刻情報とを送信する送信部と、
前記押圧操作検出部が押圧操作されたことを検出した場合に、押圧操作された旨の通知をする通知部とを備え、
前記ポイント位置算出装置は、
前記送信部から受信した、前記接触操作面情報と前記座標値と前記時刻情報とを対応付けて蓄積する蓄積部と、
前記通知部により通知があったとき、当該通知以前に前記蓄積部に蓄積された時刻情報に対する接触操作面情報の変化傾向を押圧操作が検出された時刻から遡って順次検査して、前記変化傾向が変化した前記時刻情報を特定し、前記特定した時刻情報に対応する前記座標値を押圧操作開始時における座標値として抽出する座標値抽出部と、
前記座標値抽出部が検出した当該座標値を、前記イベントを受け付けた前記操作面上の位置に応じた座標値として出力する出力部とを備える
ポインティングデバイスシステム。
【発明の詳細な説明】
【技術分野】
【０００１】
本発明は、ポインティングデバイスに関し、特に、接触による操作が可能な操作面を有し、前記接触時に押圧操作されることでイベントを受け付け、前記イベントを受け付けた前記操作面上の位置に応じた座標値を出力するポインティングデバイスに関する。
【背景技術】
【０００２】
近年、テレビ等の多くの番組再生装置ではインターネットを行う機能やＰＣの機能を併せ持つものが存在する。従来の押しボタン式リモコンでは、それらの機能を制御する操作が困難となるため、ポインティングデバイスを併せ持ったリモコンが存在する（例えば、非特許文献１）。ここで、ポインティングデバイスとは、例えばＰＣにおけるマウスのような、位置や座標値を入力することができる装置である。
【０００３】
非特許文献１では、番組再生装置であるテレビがＰＣの機能を併せ持つため、テレビ用のリモコンには、ポインティングデバイスとしてタッチパッドが搭載されている。そして、そのタッチパッドの下には決定イベントを発生させるボタン機構が存在する（以下、このリモコンをタッチパッドリモコンと記載する。）。ここで、タッチパッドとは、ユーザが指で触れてなぞることによってポインティングデバイス１００に対応する画面上の位置や方向などを指示する平面状の機器である。
【０００４】
また、ユーザは、このタッチパッドリモコンを用いて、すなわち、タッチパッドリモコンに搭載されたタッチパッド上で指を接触させて動かすことで、ＧＵＩ上のポインタを移動させる。そして、ポインタ位置が決まり、ＧＵＩ上でポインタ位置に存在する所望のオブジェクトに対するイベントを送信する場合、ユーザは、指でタッチパッドを押し込むことでタッチパッド下に存在するボタン機構がＯＦＦからＯＮとなり、イベントを送ることができる。
【０００５】
しかし、非特許文献１におけるポインティングデバイスでは、ユーザは、タッチパッドリモコンを手に持って、それに搭載されるタッチパッドを指で押下して決定イベントを送信する。そのため、ユーザの押下動作によって指とタッチパッドとの接触面から決定されるポインタ位置がずれ、ポインタが所望のオブジェクトと異なるオブジェクト上に移動してしまうなどユーザが意図した正しいポインタ位置で決定イベントを送信することができない問題がある。例えば、ポインティングデバイスであるタッチパッドが付属したリモコンを用いて、ユーザがタッチパッド下にあるボタンを押下する場合、タッチパッドに接触している指の接触面積が変化するため、ボタンを押下する前後でポインタ位置がずれてしまう。
【０００６】
そこで、ユーザがイベントを送信時のポインタ位置を補正する技術が提案されている。例えば、あるオブジェクトに対する全てのイベント入力位置の履歴を取得することで入力位置の重心を計算し、その重心がオブジェクトのイベント入力受付範囲の中心となるように入力受付範囲をずらして補正する方法（下記特許文献１）が提案されている。また、例えば入力された座標値を平均化することでポインタのズレを軽減する方法（下記特許文献２）、およびタッチパネルに指をタッチしてから指を離すイベントが発生した直前の座標値を使用する方法（下記特許文献３）等が提案されている。
【非特許文献１】「ＰＣ−ＡＸ３０Ｖ  取扱説明書（パソコン機能編）」、シャープ株式会社、２００７年、ｐ．３２
【特許文献１】特開２００４−２８０５９０号公報
【特許文献２】特開平１−２１６３９０号公報
【特許文献３】特開昭６１−２３５９３５号公報
【発明の開示】
【発明が解決しようとする課題】
【０００７】
しかしながら、従来のポインタ位置を補正する技術では、以下のような問題がある。
特許文献１に開示されている技術では、ポインタ位置を入力する入力位置の履歴を取得してから補正するので時間を要する。さらにタッチパッドリモコンの持ち方、タッチパッドへの接触する指の種類またはタッチパッドへの指の触れ方によって入力位置が大きく異なる。そのため、それら大きく異なる入力位置での補正は、不正確な補正となってしまう。したがって、特許文献１に開示されている技術では、ユーザがイベントを発生させた時点の正確なポインタ位置に補正することができない。
【０００８】
また、特許文献２に開示されている技術では、入力される座標値を逐次平均化することによりポインタ位置を算出する。そのため、ポインタの反応が遅延しポインティングデバイスの使用感が悪くなる。また、ポインタ位置は、入力される座標値の平均から算出されるため、算出されるポインタ位置は、必ずしも、実際のユーザが押下した位置の軌跡上のポインタ位置に算出されない。すなわち、実際のポインタ位置の軌跡から外れ、不正確なポインタ位置に算出されてしまう。
【０００９】
また、特許文献３に開示されている技術では、入力範囲が大きなタッチパネルを想定している。すなわち、指をタッチパッドから離す際に指の面積が変化していくことでポインタの位置が微少変化する。その微少変化により、ポインタが別のオブジェクト上に移動し誤入力を起こしてしまうことへの配慮がされていない。
【００１０】
そこで、本発明は上記の課題を解決するためになされたもので、ユーザがイベントを発生させた時点の正確なポインタ位置を出力することができるポインティングデバイスを提供することを目的とする。
【課題を解決するための手段】
【００１１】
上記の目的を達成するために、本発明のポインティングデバイスは、接触による操作が可能な操作面を有し、前記接触時に前記操作面上で押圧操作されることでイベントを受け付け、前記イベントを受け付けた前記操作面上の位置に応じた座標値を出力するポインティングデバイスであって、前記操作面上での接触の位置に応じた座標値を生成する座標値生成部と、当該接触時の操作面の情報を示す接触操作面情報を計測する接触操作面情報計測部と、前記接触操作面情報計測部が前記接触操作面情報を計測した時の時刻情報を取得する時刻情報取得部と、前記接触操作面情報と、前記座標値と、前記時刻情報とを対応付けて蓄積する蓄積部と、前記操作面上で押圧操作されたことを検出する押圧操作検出部と、前記押圧操作検出部により前記押圧操作が検出された場合、前記押圧操作の検出以前に前記蓄積部に蓄積された時刻情報に対する接触操作面情報の変化傾向を押圧操作が検出された時刻から遡って順次検査して、前記変化傾向が変化した前記時刻情報を特定し、前記特定した時刻情報に対応する前記座標値を押圧操作開始時における座標値として抽出する座標値抽出部と、前記座標値抽出部が抽出した当該座標値を、前記イベントを受け付けた前記操作面上の位置に応じた座標値として出力する出力部とを備える。
【００１２】
このような構成により、ユーザがイベントを発生させた時点の正確なポインタ位置を出力することができる。例えば、タッチパッドリモコンなどのポインティングデバイスにおいてユーザがポインタ位置を決めてタッチパッド下ボタンを押下または押下解除してイベントを発生させた際に、ユーザが意図したポインタ位置でイベントを発生させることができる。それにより、タッチパッドリモコンなどのポインティングデバイスでは、ユーザがイベントを発生させた正確なポインタ位置を出力することができ、ポインティングデバイスの操作性が向上する。
【発明の効果】
【００１３】
本発明によれば、ユーザがイベントを発生させた時点の正確なポインタ位置を出力することができるポインティングデバイスを実現できる。さらに、ポインティングデバイスの操作性が向上する。
【００１４】
例えば、タッチパッドリモコンなどのポインティングデバイスにおいてユーザが押下または押下解除してイベントを発生させた際に、ユーザが意図した正確なポインティング位置を出力することができる。それにより、ＧＵＩにおけるユーザの選択ミスを減らすことができ、選択ミスを減らすことでタッチパッドリモコンを使用したポインティング操作を素早く行うことができる。このようにして、タッチパッドリモコンなどのポインティングデバイスをユーザに使いやすいものとすることができる。
【発明を実施するための最良の形態】
【００１５】
以下、本発明の実施の形態について図面を用いて説明する。
【００１６】
（実施の形態１）
図１は、実施の形態１に係るポインティングデバイスが搭載されたリモコンを示す概観図である。図２は、実施の形態１に係るポインティングデバイスが使用される場面例を示す図である。
【００１７】
タッチパッドリモコン１は、タッチパッド１０を備え、図２に示す表示装置２に対して用いられるリモコンである。また、タッチパッドリモコン１は、表示装置２と無線で接続されている。
【００１８】
表示装置２は、例えばＰＣの機能を併せ持つテレビである。表示装置２では、無線で接続されたタッチパッドリモコン１の操作により表示画面上のＧＵＩ上でのポインタが移動して、例えばＧＵＩ上のオブジェクトが決定される。なお、表示装置２は例えばＰＣでもよい。
【００１９】
タッチパッド１０は、本発明のポインティングデバイスの１例であり、ユーザが指で触れてなぞることによってタッチパッド１０に対応する画面上の位置や方向などを指示する。また、タッチパッド１０は、そのタッチパッド１０の下には決定イベントを発生させるボタン機構が存在する。
【００２０】
ユーザは、タッチパッド１０上で指を接触させて動かすことで、タッチパッド１０に対応する表示画面上のＧＵＩ上のポインタを移動させる。そして、ポインタ位置が決まり、表示装置２の表示画面のＧＵＩ上でポインタ位置に存在する所望のオブジェクトにイベントを送信する。ここで、イベントは、ユーザにより指でタッチパッド１０を押し込まれることで、タッチパッド１０下に存在するボタン機構がＯＦＦからＯＮとなった時点で送信される。
【００２１】
図３は、実施の形態１におけるポインティングデバイスの構成を示すブロック図である。
【００２２】
図３に示すポインティングデバイス１００は、座標値取得部１０１と、面積計測部１０２と、時刻情報取得部１０３と、蓄積部１０４と、押圧操作検出部１０５と、座標値抽出部１０６と、出力部１０７とを備える。また、ポインティングデバイス１００は、ユーザが指で触れてなぞることによって対応する画面上の位置や方向などを指示するタッチパッド１０を備える。
【００２３】
座標値取得部１０１は、タッチパッド１０上に接触した指の座標値を取得する。
面積計測部１０２は、タッチパッド１０上に接触している指の接触面積値を計測して取得する。
【００２４】
時刻情報取得部１０３は、座標値取得部１０１と面積計測部１０２とでそれぞれの値を取得した時刻情報を取得する。
【００２５】
蓄積部１０４は、座標値取得部１０１と面積計測部１０２と時刻情報取得部１０３とでそれぞれ取得した座標値と接触面積値と時刻情報とを対応づけて蓄積する。
【００２６】
押圧操作検出部１０５は、タッチパッド１０が押下されてタッチパッド１０下に存在するボタン機構が押されてＯＦＦからＯＮとなるイベントが発生する操作である押圧操作を検出する。
【００２７】
座標値抽出部１０６は、押圧操作検出部１０５が押圧操作を検出した場合に、蓄積部１０４に蓄積されている接触面積値の時間的変化傾向を、押圧操作を検出した時刻から遡って順次検査し、その時間的変化傾向が変化した時刻をユーザが押圧操作を意図した時刻である押下開始時刻として特定する。そして、座標値抽出部１０６は、蓄積部１０４に蓄積されている座標値から、特定した押下開始時刻における座標値を抽出する。
【００２８】
出力部１０７は、座標値抽出部１０６で抽出した座標値をポインティングデバイス１００に対応する装置（例えば表示装置２）に出力する。
【００２９】
以上のように、実施の形態１に係るポインティングデバイス１００は、例えばＰＣやＴＶのＧＵＩをポインタで操作するためにタッチパッドリモコン１に搭載される押圧操作が可能なタッチパッドである。ポインティングデバイス１００は、タッチパッド１０下に存在するボタン機構がＯＮになるとイベントが発生する操作である押圧操作を検出し、ユーザが押圧操作を発生させるよう意図した時刻である押下開始時刻での座標値を抽出して出力する。ポインティングデバイス１００は、タッチパッド１０が押圧操作されないときには、座標値と接触面積値と時刻とをそれぞれ対応づけて蓄積部１０４に蓄積する。
【００３０】
次に、上記のように構成された実施の形態１におけるポインティングデバイス１００の動作について、図を参照しながら説明する。
【００３１】
図４は、本実施の形態１におけるポインティングデバイスの動作を説明するためのフローチャートである。
【００３２】
まず、ポインティングデバイス１００は、座標値取得部１０１が取得する座標値と面積計測部１０２が計測する接触面積値と時刻情報取得部１０３が取得する時刻とを、継続的に取得している（Ｓ１０）。ここで、継続的に取得することは、例えば１０ｍｓｅｃ毎に取得するというように、ｍｓｅｃのオーダで連続的に取得することを含んでいる。
【００３３】
そして、ポインティングデバイス１００は、取得したこれらの座標値、接触面積値及び時刻を対応づけて蓄積部１０４に蓄積している（Ｓ１１）。
【００３４】
なお、座標値、接触面積値及び時刻は蓄積部１０４に対応づけて蓄積されているため、蓄積部１０４を用いて、ある時刻におけるユーザの指で入力したタッチパッド１０上の座標値と接触面積値とを求めることができる。そのため、蓄積部１０４に座標値、接触面積値及び時刻が蓄積される最小の時間としては、少なくともユーザが押圧操作を意図して指をタッチパッド１０に押しつけて（押下して）からタッチパッド１０下のボタン機構がＯＮするまでの時間である。
【００３５】
次に、ポインティングデバイス１００は、タッチパッド１０下のボタン機構がＯＮしたか、すなわち押圧操作されたかを押圧操作検出部１０５で検出する（Ｓ１２）。
【００３６】
なお、タッチパッド１０下のボタン機構がＯＦＦの状態のまま、すなわち押圧操作が検出されていない場合（Ｓ１２のＮの場合）、再度Ｓ１０とＳ１１とを繰り返して座標値と接触面積値と時刻とを蓄積し続ける。
【００３７】
次に、ポインティングデバイス１００は、タッチパッド１０下のボタン機構がＯＮ、すなわち押圧操作が検出された場合（Ｓ１２のＹの場合）、ユーザが押圧操作を意図した時刻である押下開始時刻での座標値の抽出を座標値抽出部１０６で行う（Ｓ１３）。なお、Ｓ１３の動作の詳細については下記で説明するのでここでは説明を省略する。
【００３８】
最後に、ポインティングデバイス１００は、出力部１０７を介してユーザが押圧操作の発生を意図した時刻である押下開始時刻での座標値を出力する（Ｓ１４）。
【００３９】
以上のように、ポインティングデバイス１００は、例えばＧＵＩを表示するＴＶまたはＰＣの表示装置２に対して、ユーザが押圧操作を発生させようと意図した時刻である押下開始時刻においての正確な座標値を送信する。
【００４０】
ところで、ユーザが押圧操作を意図してタッチパッド１０下のボタン機構を押下して（押下開始時刻）からボタン機構がＯＦＦからＯＮとなるイベントが発生する（押圧操作検出時刻）までに、ポインタ位置がユーザの意図しない座標位置へずれてしまう。これを、Ｓ１３の動作の詳細について説明するのに先だって図を参照しながら説明する。
【００４１】
図５は、タッチパッド下のボタン機構の押下時に発生するポインタ座標値のずれを示す図である。図６は、タッチパッド下のボタン機構がＯＮになる際のタッチパッドと指の接触面積との関係を示す図である。
【００４２】
図５におけるポインタ１は、ユーザがイベントを発生させようと意図した、すなわち押圧操作を意図した座標位置にポインタを移動して、タッチパッド１０下のボタン機構を押下しようとする瞬間である押下開始時刻でのポインタを示している。この時のポインタ１の座標値を（Ｘ１、Ｙ１）とする。
【００４３】
その後、ユーザがイベントを発生させよう（押圧操作を行おう）とタッチパッド１０下のボタン機構を押下し続けている間、タッチパッド１０と接触しているユーザの指の接触面積は図６の下に示すグラフのように増加する。このとき、タッチパッド１０とユーザの指との接触面積の増加に応じて、ユーザの指の接触面で決定されるタッチパッド１０上のポインタの座標値は変化してしまう。すなわち、タッチパッド１０とユーザの指との接触面積の増加に応じて、図５に示すポインタ１の位置がずれてしまう。
【００４４】
そして、図６の上に示すグラフで示されるタッチパッド１０下のボタン機構がＯＮした時刻すなわち押圧操作検出時刻には、例えば図５に示すポインタ２の位置にずれてしまう。ここで、ポインタ２の座標値（Ｘ２、Ｙ２）をすると、押下開始時刻から押圧操作検出時刻までに、例えばポインタ１の座標値（Ｘ１、Ｙ１）がポインタ２の座標値（Ｘ２、Ｙ２）となるようにユーザの指の接触面で決定されるポインタの座標値が変化してしまう。
【００４５】
その結果、従来はポインタ２の座標値がイベントの発生した押圧操作検出時刻での座標値となってしまい、ポインタ１とポインタ２との位置のＧＵＩ上でのオブジェクトが異なっている場合には、ユーザの意図したＧＵＩ上の操作ができない。
【００４６】
以上のように、従来では、押下開始時刻から押圧操作検出時刻までに、ポインタ位置がユーザの意図しない座標位置へずれてしまう。
【００４７】
次に、図４におけるＳ１３において、ユーザが押圧操作を意図した時刻である押下開始時刻での座標値の抽出する動作について説明する。
【００４８】
Ｓ１３では、上記のようにポインタ位置がユーザの意図しない座標値へのずれを起こさないために、座標値抽出部１０６は図５に示すポインタ１の座標値（押下開始時刻での座標値）を抽出する。このときのアルゴリズムについて図７を参照して説明する。
【００４９】
図７は、座標値抽出部がポインタ１の座標値を抽出する方法の１例を説明するためのフローチャートである。
【００５０】
まず、座標値抽出部１０６は、Ｔに現在時刻を、ＳにそのＴにおける接触面積値を蓄積部１０４から求めて代入する（Ｓ１３１）。
【００５１】
次に、座標値抽出部１０６は、ＴｐにＴの１つ前の時刻を、Ｓｐにその時刻Ｔｐにおける接触面積値をそれぞれ蓄積部１０４から求めて代入する（Ｓ１３２）。
【００５２】
次に、座標値抽出部１０６は、Ｓ−Ｓｐを計算し、その結果が０より大きいかどうかを判定する（Ｓ１３３）。
【００５３】
Ｓ１３３の結果が０より大きければ（Ｓ１３３のＹの場合）、その時刻Ｔではまだユーザが押下している状態が続いている、すなわち押圧操作が検出されていないと判断する。そして、ＴにＴｐを、ＳにＳｐをそれぞれ代入して（Ｓ１３４）、再度Ｓ１３２とＳ１３３とを行う。
【００５４】
一方、座標値抽出部１０６は、Ｓ１３３の結果が０より小さければ（Ｓ１３３のＮの場合）、その時刻Ｔでユーザがイベントを発生させようと意図した時刻、すなわち押下開始時刻であると判断する。そして、時刻Ｔでの座標値を蓄積部１０４から求め（Ｓ１３５）、求めた座標値をポインタ１の座標値とする。
【００５５】
以上のようにして、座標値抽出部１０６は、ポインタ１の座標値（押下開始時刻での座標値）を抽出する。
【００５６】
すなわち、座標値抽出部１０６は、押圧操作が検出されたポインタ２の時刻以前に蓄積部１０４に蓄積された時刻に対する接触面積値の変化傾向を、押圧操作を検出した時刻から遡って順次検査し、その変化傾向が変化した時刻を押下開始時刻であるポインタ１の時刻として求める。そして、求めたポインタ１の時刻（押下開始時刻）から、それに対応する座標値を抽出する。このことは、図６の下のグラフに例示されている。
【００５７】
なお、押下開始時刻での座標値を抽出する方法は、上述の方法に限定されない。座標値抽出部１０６は、押圧操作検出部１０５により押圧操作が検出された場合、押圧操作の検出以前に蓄積部１０４に蓄積された時刻に対する接触面積値の変化傾向から、押下開始時刻を特定し、蓄積部１０４に蓄積されている座標値から、特定された押下開始時刻に対応する座標値を抽出すれば、その形態は問わない。例えば、変化傾向として、押圧操作の検出以前に蓄積部１０４に蓄積された各時刻に対する接触面積値の傾きを算出する。そして、その傾きが、押圧操作の検出時刻から最も近い時刻において閾値以下（例えば０）となる時刻をポインタ１の時刻としてもよい。
【００５８】
以上のように、本実施の形態１によれば、ユーザがイベントを発生させた時点の正確なポインタ位置を出力することができるポインティングデバイスを実現できる。
【００５９】
例えば、タッチパッドリモコンなどのポインティングデバイスにおいてポインティング操作時のボタン押下等による入力ズレを補正し正しい座標値を出力することができる。それにより、ユーザがイベントを発生させた（押圧操作開始時の）正確なポインタ位置を出力することができ、ポインティングデバイスの操作性が向上することができる。
【００６０】
なお、ポインティングデバイス１００としてタッチパッド１０を使用しているが、これはポインティングデバイス例の一つであり、それに限定されない。タッチパネル等の座標値を生成する操作面を有するポインティングデバイスであれば、本発明を実現することができるので、それも本発明の範囲内に含まれる。
【００６１】
（実施の形態２）
本実施の形態１では、ユーザのイベントを発生させようと意図した時刻（押下開始時刻）を、タッチパッド１０に対するユーザの指の接触面積値の変化傾向を用いて求めている。しかし、これは押下開始時刻を求めるための指標の一つであり、面積の代わりとしてタッチパッド１０に対するユーザの指からの圧力を使用してもよい。実施の形態２では、押下開始時刻を求めるために、接触操作面情報の変化傾向として接触圧力値の変化傾向を用いた場合を説明する。
【００６２】
図８は、実施の形態２におけるポインティングデバイスの構成を示すブロック図である。なお、図３と同様の要素には同一の符号を付しており、詳細な説明は省略する。図８に示すポインティングデバイスは、実施の形態１に係るポインティングデバイスの面積計測部１０２と蓄積部１０４と座標値抽出部１０６とに対して、圧力計測部２０２と蓄積部２０４と座標値抽出部２０６の構成が異なる。
【００６３】
図８に示すポインティングデバイス２００は、座標値取得部１０１と、圧力計測部２０２と、時刻情報取得部１０３と、蓄積部２０４と、押圧操作検出部１０５と、座標値抽出部２０６と、出力部１０７とを備える。また、ポインティングデバイス１００は、ユーザが指で触れてなぞることによって対応する画面上の位置や方向などを指示するタッチパッド１０を備える。
【００６４】
圧力計測部２０２は、タッチパッド１０上に接触している指の接触圧力値を計測して取得する。
【００６５】
蓄積部２０４は、座標値取得部１０１と圧力計測部２０２と時刻情報取得部１０３とでそれぞれ取得した座標値と接触圧力値と時刻情報とを対応づけて蓄積する。
【００６６】
座標値抽出部２０６は、押圧操作検出部１０５が押圧操作の検出する場合に、蓄積部２０４に蓄積されている接触圧力値の時間的変化傾向を、押圧操作を検出した時刻から遡って順次検査し、その時間的変化傾向が変化した時刻をユーザが押圧操作を意図した時刻である押下開始時刻として特定する。ユーザが押圧操作を意図した時刻である押下開始時刻を特定する。そして、座標値抽出部１０６は、蓄積部１０４に蓄積されている座標値から、特定した押下開始時刻における座標値を抽出する。
【００６７】
次に、上記のように構成された実施の形態２におけるポインティングデバイス１００の動作について、図を参照しながら説明する。
【００６８】
図９は、本実施の形態２におけるポインティングデバイスの動作を説明するためのフローチャートである。
【００６９】
まず、ポインティングデバイス２００は、座標値取得部１０１が取得する座標値と圧力計測部２０２が計測する接触圧力値と時刻情報取得部１０３が取得する時刻とを、継続的に取得している（Ｓ２０）。そして、ポインティングデバイス２００は、取得したこれらの座標値、接触圧力値及び時刻を対応づけて蓄積部２０４に蓄積している（Ｓ２１）。
【００７０】
次に、ポインティングデバイス２００は、タッチパッド１０下のボタン機構がＯＮしたか、すなわち押圧操作されたかを押圧操作検出部１０５で検出する（Ｓ２２）。
【００７１】
なお、タッチパッド１０下のボタン機構がＯＦＦの状態のまま、すなわち押圧操作が検出されていない場合（Ｓ２２のＮの場合）、再度Ｓ２０とＳ２１とを繰り返して座標値と接触圧力値と時刻とを蓄積し続ける。
【００７２】
次に、ポインティングデバイス２００は、タッチパッド１０下のボタン機構がＯＮ、すなわち押圧操作が検出された場合（Ｓ２２のＹの場合）、ユーザが押圧操作を意図した時刻である押下開始時刻での座標値の抽出を座標値抽出部２０６で行う（Ｓ２３）。
【００７３】
最後に、ポインティングデバイス２００は、出力部１０７を介してユーザが押圧操作の発生を意図した時刻である押下開始時刻での座標値を出力する（Ｓ２４）。
【００７４】
以上のように、ポインティングデバイス２００は、ユーザが押圧操作を発生させようと意図した時刻である押下開始時刻においての正確な座標値を送信することができる。
【００７５】
次に、図９におけるＳ２３において、ユーザが押圧操作を意図した時刻である押下開始時刻での座標値の抽出する動作について説明する。
【００７６】
図１０は、タッチパッド下のボタン機構がＯＮになる際のタッチパッドと指の接触圧力との関係を示す図である。図１１は、座標値抽出部がポインタ１の座標値を抽出する方法の１例を説明するためのフローチャートである。ここで、ポインタ１は、実施の形態１同様に押下開始時刻における位置のポインタであり、ポインタ２は、押圧操作検出時刻における位置のポインタである。
【００７７】
まず、座標値抽出部１０６は、Ｔに現在時刻を、ＰにそのＴにおける接触圧力値を蓄積部２０４から求めて代入する（Ｓ２３１）。
【００７８】
次に、座標値抽出部１０６は、ＴｐにＴの１つ前の時刻を、Ｐｐにその時刻Ｔｐにおける接触圧力値をそれぞれ蓄積部２０４から求めて代入する（Ｓ２３２）。
【００７９】
次に、座標値抽出部１０６は、Ｐ−Ｐｐを計算し、その結果が０より大きいかどうかを判定する（Ｓ２３３）。
【００８０】
Ｓ２３３の結果が０より大きければ（Ｓ２３３のＹの場合）、その時刻Ｔではまだユーザが押下している状態が続いている、すなわち押圧操作が検出されていないと判断する。そして、ＴにＴｐを、ＰにＰｐをそれぞれ代入して（Ｓ２３４）、再度Ｓ２３２とＳ２３３との演算を行う。
【００８１】
一方、座標値抽出部１０６は、Ｓ２３３の結果が０より小さければ（Ｓ２３３のＮの場合）、その時刻Ｔでユーザがイベントを発生させようと意図した時刻、すなわち押下開始時刻であると判断する。そして、時刻Ｔでの座標値を蓄積部２０４から求め（Ｓ２３５）、その求めた座標値をポインタ１の座標値とする。
【００８２】
以上のようにして、座標値抽出部１０６は、ポインタ１の座標値（押下開始時刻での座標値）を抽出する。
【００８３】
すなわち、座標値抽出部１０６は、押圧操作が検出されたポインタ２の時刻以前に蓄積部２０４に蓄積された時刻に対する接触圧力値の変化傾向を、押圧操作を検出した時刻から遡って順次検査し、その変化傾向が変化した時刻を押下開始時刻であるポインタ１の時刻として求める。そして、求めたポインタ１の時刻（押下開始時刻）から、それに対応する座標値を抽出する。このことは、図１０の下のグラフに例示されている。
【００８４】
以上のように、実施の形態２の場合、蓄積部１０４での蓄積や座標値抽出部１０６での検出にも面積値の代わりとして圧力値を使用しても、本発明を実現することができる。
【００８５】
以上、本実施の形態２によれば、ユーザがイベントを発生させた時点の正確なポインタ位置を出力することができるポインティングデバイスを実現できる。
【００８６】
（実施の形態３）
実施の形態１で説明したように、ポインティングデバイス１００はタッチパッド１０下のボタン機構がＯＦＦからＯＮになった場合に、座標値抽出部１０６はユーザがイベントを発生させようと意図した時刻の（押下開始時刻の）座標値を検出する。しかし、これはユーザが意図する押圧操作の一例であるので、それに限らない。ユーザがボタン機構の押下を解除してタッチパッド１０下ボタンがＯＮからＯＦＦになるときにイベントが発生する場合も、ユーザがイベントを発生させることを意図した時刻である押圧操作開始時刻として、本発明の範囲に含まれる。実施の形態３では、ボタン機構の押下を解除してタッチパッド１０下ボタンがＯＮからＯＦＦになるときにイベントが発生する押圧操作の検出をするポインティングデバイス３００について説明する。
【００８７】
図１２は、実施の形態３におけるポインティングデバイスの構成を示すブロック図である。
【００８８】
図１２におけるポインティングデバイス３００は、実施の形態１に係る押圧操作検出部１０５と座標値抽出部１０６とに対して押圧操作検出部３０５と座標値抽出部３０６の構成が異なる。なお、実施の形態３におけるポインティングデバイスの構成は実施の形態１の 図３と同様の要素には同一の符号を付しており、詳細な説明は省略する。
【００８９】
押圧操作検出部３０５は、タッチパッド１０が押下されてタッチパッド１０下に存在するボタン機構が押下され、さらに、その押下が解除されてボタン機構がＯＮからＯＦＦとなるイベントが発生する押圧解除操作を検出する。
【００９０】
座標値抽出部３０６は、押圧操作検出部１０５が押圧解除操作を検出する場合に、蓄積部１０４に蓄積されている接触面積値の時間的変化傾向を、押圧解除操作を検出した時刻から遡って順次検査し、その時間的変化傾向が変化した時刻をユーザが押圧解除操作を意図した時刻である押下解除開始時刻として特定する。そして、座標値抽出部３０６は、蓄積部１０４に蓄積されている座標値から、特定した押下解除開始時刻における座標値を抽出する。
【００９１】
次に、上記のように構成された実施の形態３におけるポインティングデバイス１００の動作について、図を参照しながら説明する。
【００９２】
図１３は、本実施の形態３におけるポインティングデバイスの動作を説明するためのフローチャートである。図４と同様のフローには同一の符号を付しており、詳細な説明は省略する。
【００９３】
まず、ポインティングデバイス１００は、座標値取得部１０１が取得する座標値と面積計測部１０２が計測する接触面積値と時刻情報取得部１０３が取得する時刻とを、継続的に取得している（Ｓ１０）。そして、ポインティングデバイス１００は、取得したこれらの座標値、接触面積値及び時刻を対応づけて蓄積部１０４に蓄積している（Ｓ１１）。
【００９４】
次に、ポインティングデバイス１００は、押圧解除操作されたかを押圧操作検出部３０５で検出する（Ｓ３２）。
【００９５】
なお、押圧解除操作が検出されていない場合（Ｓ３２のＮの場合）、再度Ｓ１０とＳ１１とを繰り返して座標値と接触面積値と時刻とを蓄積し続ける。
【００９６】
次に、ポインティングデバイス１００は、押圧解除操作が検出された場合（Ｓ３２のＹの場合）、ユーザが押圧解除操作を意図した押下解除開始時刻での座標値の抽出を座標値抽出部３０６で行う（Ｓ３３）。
【００９７】
最後に、ポインティングデバイス１００は、出力部１０７を介してユーザが押下解除開始時刻での座標値を出力する（Ｓ１４）。
【００９８】
以上のように、ポインティングデバイス１００は、押下解除開始時刻においての正確な座標値を送信することができる。
【００９９】
次に、図１３におけるＳ３３において、ユーザが押圧解除操作を意図した押下解除開始時刻での座標値の抽出する動作について説明する。
【０１００】
図１４は、タッチパッド下のボタン機構がＯＮからＯＦＦになる際のタッチパッドと指の接触面積との関係を示す図である。図１５は、座標値抽出部がポインタ１の座標値を抽出する方法の１例を説明するためのフローチャートである。ここで、ポインタ１は、押下解除開始時刻における位置のポインタであり、ポインタ２は、押圧解除操作検出時刻における位置のポインタである。
【０１０１】
まず、座標値抽出部３０６は、Ｔに現在時刻を、ＳにそのＴにおける接触面積値を蓄積部１０４から求めて代入する（Ｓ３３１）。
【０１０２】
次に、座標値抽出部３０６は、ＴｆにＴの１つ前の時刻を、Ｓｆにその時刻Ｔｆにおける接触面積値をそれぞれ蓄積部１０４から求めて代入する（Ｓ３３２）。
【０１０３】
次に、座標値抽出部３０６は、Ｓ−Ｓｆを計算し、その結果が０より小さいかどうかを判定する（Ｓ３３３）。
【０１０４】
Ｓ３３３の結果が０より小さければ（Ｓ３３３のＹの場合）、その時刻Ｔではまだユーザが押下している状態または完全に押下解除していない状態、すなわち押圧解除操作が検出されていないと判断する。そして、ＴにＴｆを、ＳにＳｆをそれぞれ代入して（Ｓ３３４）、再度Ｓ３３２とＳ３３３との演算を行う。
【０１０５】
一方、座標値抽出部３０６は、Ｓ３３３の結果が０より大きければ（Ｓ３３３のＮの場合）、その時刻Ｔでユーザがイベントを発生させようと意図した、すなわち押下解除開始時刻であると判断する。そして、時刻Ｔでの座標値を蓄積部１０４から求め（Ｓ３３５）、その求めた座標値をポインタ１の座標値とする。
【０１０６】
以上のようにして、座標値抽出部３０６は、ポインタ１の座標値（押下解除開始時刻での座標値）を抽出する。
【０１０７】
すなわち、座標値抽出部３０６は、押圧解除操作が検出されたポインタ２の時刻以前に蓄積部１０４に蓄積された時刻に対する接触面積値の変化傾向を、押圧操作を検出した時刻から遡って順次検査し、その変化傾向が変化した時刻を押下解除開始時刻であるポインタ１の時刻として求める。そして、求めたポインタ１の時刻（押下解除開始時刻）から、それに対応する座標値を抽出する。このことは、図１４の下のグラフに例示されている。
【０１０８】
以上のように、実施の形態３では、ボタン機構の押下を解除してタッチパッド１０下ボタンがＯＮからＯＦＦになるときにイベントが発生する場合でも、本発明を実現することができる。
【０１０９】
以上、本実施の形態３によれば、ユーザがイベントを発生させた時点の正確なポインタ位置を出力することができるポインティングデバイスを実現できる。
【０１１０】
なお、押下解除開始時刻での座標値を抽出する方法は、上述の方法に限定されない。座標値抽出部３０６は、押圧操作検出部３０５により押圧解除操作が検出された場合、押圧解除操作の検出以前に蓄積部１０４に蓄積された時刻に対する接触面積値の変化傾向から、押下解除開始時刻を特定し、蓄積部１０４に蓄積されている座標値から、特定された押下解除開始時刻に対応する座標値を抽出すれば、その形態は問わない。例えば、変化傾向として、押圧解除操作の検出以前に蓄積部１０４に蓄積された各時刻に対する接触面積値の傾きを算出する。そして、その傾きが、押圧操作の検出時刻から最も近い時刻において閾値以上（例えば０）となる時刻をポインタ１の時刻としてもよい。
【０１１１】
また、本実施の形態３では、ユーザのイベントを発生させようと意図した時刻（押下解除開始時刻）を求めるために、タッチパッド１０に対するユーザの指の接触面積値の変化傾向を用いて求めている。しかし、これは押下解除開始時刻を求めるための指標の一つであり、面積の代わりとしてタッチパッド１０に対するユーザの指からの圧力を使用してもよい。
【０１１２】
図１６は、実施の形態３におけるポインティングデバイスの別の構成を示すブロック図である。図１６に示すポインティングデバイス４００の場合、実施の形態３に係るポインティングデバイス３００の面積計測部１０２と蓄積部１０４と座標値抽出部３０６とに対して、圧力計測部４０２と蓄積部４０４と座標値抽出部４０６の構成が異なることになる。なお、これらの構成及び動作については、実施の形態２及び実施の形態３で説明した内容を組み合わせたものと同様のため、説明は省略する。
【０１１３】
（実施の形態４）
例えば実施の形態１では、ポインティングデバイス１００の構成に蓄積部１０４と座標値抽出部１０６と出力部１０７とを含めている。しかし、これら３つの要素は、ポインティングデバイスと接続するＰＣやＴＶなどの機器（例えば表示装置２）に搭載されていても、本発明の範囲に含まれる。実施の形態４では、実施の形態１で説明した構成要素の一部が別装置に搭載されている例を説明する。
【０１１４】
図１７は、実施の形態４におけるポインティングデバイスシステムの構成を示すブロック図である。
【０１１５】
ポインティングデバイスシステム１０００は、ポインティングデバイス５００とポインティングデバイス５００と接続しポインタ位置算出デバイス６００を備える機器とから構成される。
【０１１６】
なお、図３と同様の要素には同一の符号を付しており、詳細な説明は省略する。
ポインティングデバイス５００は、座標値取得部１０１と面積計測部１０２と時刻情報取得部１０３と押圧操作検出部５０５と送信部５０８とを備える。また、ポインティングデバイス５００は、ユーザが指で触れてなぞることによって対応する画面上の位置や方向などを指示するタッチパッド１０を備える。
【０１１７】
送信部５０８は、ポインタ位置算出デバイス６００を備える機器に対して、座標値と接触面積値と時刻情報とを送信し続ける。
【０１１８】
押圧操作検出部５０５は、図３の押圧操作検出部１０５にほぼ相当し、タッチパッド１０が押下されてタッチパッド１０下に存在するボタン機構が押されてＯＦＦからＯＮとなるイベントが発生する操作である押圧操作を検出する。押圧操作検出部５０５は、押圧操作を検出した旨（例えばその時刻）を、送信部５０８を介して、ポインタ位置算出デバイス６００に送信する。
【０１１９】
ポインタ位置算出デバイス６００は、蓄積部６０４と、座標値抽出部１０６と、出力部１０７と、受信部６０９とを備える。なお、図３と同様の要素には同一の符号を付しており、詳細な説明は省略する。
【０１２０】
受信部６０９は、送信部５０８から送信された標値と接触面積値と時刻情報とを蓄積部６０４に蓄積する。また、受信部６０９は、送信部５０８を介して、押圧操作検出部５０５から押圧操作を検出した時刻を受信した場合に、座標値抽出部１０６にその旨を通知する。
【０１２１】
蓄積部６０４は、ポインティングデバイス５００から受信した座標値と接触面積値と時刻情報とを対応づけて蓄積し続ける。
【０１２２】
座標値抽出部１０６は、押圧操作検出部１０５が押圧操作を検出した旨を通知された場合に、蓄積部６０４に蓄積されている接触面積値の時間的変化傾向を、押圧操作を検出した時刻から遡って順次検査し、その時間的変化傾向が変化した時刻を押下開始時刻として特定する。そして、座標値抽出部１０６は、蓄積部６０４に蓄積されている座標値から、特定した押下開始時刻における座標値を抽出する。
【０１２３】
以上のように、実施の形態４の場合、蓄積部６０４と座標値抽出部１０６と出力部１０７の３つの要素を、ポインティングデバイス５００と接続しポインタ位置算出デバイス６００を備えるＰＣやＴＶなどの機器に搭載されていても、本発明を実現することができる。
【０１２４】
以上、本実施の形態１によれば、ユーザがイベントを発生させた時点の正確なポインタ位置を出力することができるポインティングデバイスを実現できる。
【０１２５】
それにより、ユーザがポインタの存在を目で確認し、イベントを発生させたいと欲した座標位置でイベントを発生させることができる。さらに、誤入力を減らすことでポインティングの操作が早くなり、ポインティングデバイスの使いやすさを向上させることができる。
【０１２６】
なお、押下解除開始時刻及び押下開始時刻は、押圧操作開始時刻と同義である。また、上述したが、請求の範囲における押圧操作では、押圧操作及び押圧解除操作が含まれているが、実施の形態では、説明を簡易にするため、押圧操作と押圧解除操作とを区別して用いている。
【０１２７】
また、時刻情報は、ある時点での時刻すなわち実時刻を使用したものとして説明しているが、それに限らない。例えば、タッチパッド１０にユーザの指が触れた際に位置座標が検出される時刻を「１」として、その後位置座標が検出されるたびにカウントアップされるシーケンス番号のようなものでも構わない。
【０１２８】
以上、本発明のポインティングデバイスについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。例えば、ポインティングデバイス５００がＰＣやＴＶなどの機器と一体型となっている場合も本発明の範囲内に含まれる。
【産業上の利用可能性】
【０１２９】
本発明は、ポインティングデバイスに利用でき、特に、タッチパッドリモコン、画面と一体型になったタッチパネルなどを含むポインティングデバイスに利用することができる。
【図面の簡単な説明】
【０１３０】
【図１】実施の形態１に係るポインティングデバイスが搭載されたリモコンを示す概観図である。
【図２】実施の形態１に係るポインティングデバイスが使用される場面例を示す図である。
【図３】実施の形態１におけるポインティングデバイスの構成を示すブロック図である。
【図４】本実施の形態１におけるポインティングデバイスの動作を説明するためのフローチャートである。
【図５】タッチパッド下のボタン機構の押下時に発生するポインタ座標値のずれを示す図である。
【図６】タッチパッド下のボタン機構がＯＮになる際のタッチパッドと指の接触面積の関係とを示す図である。
【図７】座標値抽出部がポインタ１の座標値を抽出する方法の１例を説明するためのフローチャートである。
【図８】実施の形態２におけるポインティングデバイスの構成を示すブロック図である。
【図９】本実施の形態２におけるポインティングデバイスの動作を説明するためのフローチャートである。
【図１０】タッチパッド下のボタン機構がＯＮになる際のタッチパッドと指の接触圧力との関係を示す図である。
【図１１】座標値抽出部がポインタ１の座標値を抽出する方法の１例を説明するためのフローチャートである。
【図１２】実施の形態３におけるポインティングデバイスの構成を示すブロック図である。
【図１３】本実施の形態３におけるポインティングデバイスの動作を説明するためのフローチャートである。
【図１４】タッチパッド下のボタン機構がＯＮからＯＦＦになる際のタッチパッドと指の接触面積との関係を示す図である。
【図１５】座標値抽出部がポインタ１の座標値を抽出する方法の１例を説明するためのフローチャートである。
【図１６】実施の形態３におけるポインティングデバイスの別の構成を示すブロック図である。
【図１７】実施の形態４におけるポインティングデバイスシステムの構成を示すブロック図である。
【符号の説明】
【０１３１】
１    タッチパッドリモコン
２    表示装置
１０    タッチパッド
１００、２００、３００、４００、５００    ポインティングデバイス
１０１    座標値取得部
１０２    面積計測部
１０３    時刻情報取得部
１０４、２０４、４０４、６０４    蓄積部
１０５、３０５、５０５    押圧操作検出部
１０６、２０６、３０６、４０６    座標値抽出部
１０７    出力部
２０２、４０２    圧力計測部
５０８    送信部
６００    ポインタ位置算出デバイス
６０９    受信部
１０００    ポインティングデバイスシステム
【図１】
2010122846.tif 000003
【図２】
2010122846.tif 000004
【図３】
2010122846.tif 000005
【図４】
2010122846.tif 000006
【図５】
2010122846.tif 000007
【図６】
2010122846.tif 000008
【図７】
2010122846.tif 000009
【図８】
2010122846.tif 000010
【図９】
2010122846.tif 000011
【図１０】
2010122846.tif 000012
【図１１】
2010122846.tif 000013
【図１２】
2010122846.tif 000014
【図１３】
2010122846.tif 000015
【図１４】
2010122846.tif 000016
【図１５】
2010122846.tif 000017
【図１６】
2010122846.tif 000018
【図１７】
2010122846.tif 000019